(57)【要約】【課題】１００℃以上の高圧の温水を安定して噴射できる温水洗浄機を提供する。【解決手段】温水洗浄機は、温水を生成するボイラ１と、ボイラ１からの温水を貯める温水タンク２と、温水タンク２からの温水を加圧する高圧ポンプ３と、ボイラ１の排熱を利用して高圧の温水を再加熱する加熱器４と、加熱器４からの温水を噴射する洗浄ガン５とを備えている。温水タンク２と加熱器４との間に水圧を調整する第１の圧力調整器６が設けられ、第１の圧力調整器６からの余水が温水タンク２に戻され、加熱器４と洗浄ガン５との間に第２の圧力調整器７が設けられ、第２の圧力調整器７からの高温の余水がボイラ１に戻される。【選択図】図１
0003209485.tif 000002
【実用新案登録請求の範囲】
【請求項１】
温水を生成するボイラと、温水を加圧する高圧ポンプと、ボイラの排熱を利用して高圧の温水を再加熱する加熱器と、加熱器からの温水を噴射する洗浄ガンとを備え、加熱器と洗浄ガンとの間に水圧を調整する圧力調整器が設けられ、圧力調整器からの余水がボイラに戻されることを特徴とする温水洗浄機。
【請求項２】
温水を生成するボイラと、ボイラからの温水を貯める温水タンクと、温水タンクからの温水を加圧する高圧ポンプと、ボイラの排熱を利用して高圧の温水を再加熱する加熱器と、加熱器からの温水を噴射する洗浄ガンとを備え、温水タンクと加熱器との間に水圧を調整する第１の圧力調整器が設けられ、第１の圧力調整器からの余水が温水タンクに戻され、加熱器と洗浄ガンとの間に第２の圧力調整器が設けられ、第２の圧力調整器からの高温の余水がボイラに戻されることを特徴とする温水洗浄機。
【請求項３】
ボイラの水温を検出する温度センサと、加熱器の水温を検出する温度センサとが設けられ、それぞれの水温に基づいてボイラの動作が制御されることを特徴とする請求項１または２記載の温水洗浄機。
【考案の詳細な説明】
【技術分野】
【０００１】
本考案は、高圧の温水を噴射して車両、電子部品、食品関係の機械等の被洗浄物を洗浄する温水洗浄機に関する。
【背景技術】
【０００２】
高圧の温水を噴射する温水洗浄機では、ボイラにより沸かした温水を高圧ポンプで高圧にしている。特許文献１に記載された温水洗浄機では、温水を生成するためのボイラの燃焼ガスの排熱を再利用して、温水を加熱して温水タンクに貯めることにより、ボイラの熱効率を高めている。この温水洗浄機では、温度上昇によるキャビテーションなどによる衝撃や劣化による破損防止のため、温水の温度は８０℃までとされている。
【先行技術文献】
【特許文献】
【０００３】
【特許文献１】登録実用新案第３１６５４４６号公報
【考案の開示】
【考案が解決しようとする課題】
【０００４】
温水の温度が高いほど洗浄効率が上がるが、上記の温水洗浄機では、温水の温度に制限があり、温水洗浄の効果が十分に得られない。
【０００５】
本考案は、上記に鑑み、高温の温水を噴射して、洗浄効果を高めることができる温水洗浄機の提供を目的とする。
【課題を解決するための手段】
【０００６】
本考案の温水洗浄機は、温水を生成するボイラと、温水を加圧する高圧ポンプと、ボイラの排熱を利用して高圧の温水を再加熱する加熱器と、加熱器からの温水を噴射する洗浄ガンとを備え、加熱器と洗浄ガンとの間に水圧を調整する圧力調整器が設けられたものである。そして、圧力調整器からの余水がボイラに戻される。これにより、高圧にされた温水がさらに加熱され、１００℃以上で一定圧力の温水が噴射される。
【０００７】
温水を生成するボイラと、ボイラからの温水を貯める温水タンクと、温水タンクからの温水を加圧する高圧ポンプと、ボイラの排熱を利用して高圧の温水を再加熱する加熱器と、加熱器からの温水を噴射する洗浄ガンとを備え、温水タンクと加熱器との間に水圧を調整する第１の圧力調整器が設けられ、第１の圧力調整器からの余水が温水タンクに戻され、加熱器と洗浄ガンとの間に第２の圧力調整器が設けられ、第２の圧力調整器からの高温の余水がボイラに戻される。これにより、温水タンクに貯められた温水が再加熱され、噴射される。
【０００８】
ボイラの水温を検出する温度センサと、加熱器の水温を検出する温度センサとが設けられ、それぞれの水温に基づいてボイラの動作が制御される。これにより、温水温度が一定に保たれ、異常な高温になることを防止できる。
【考案の効果】
【０００９】
本考案によると、１００℃以上に加熱された温水を噴射することにより、洗浄力を高めることができる。また、常に一定の水圧で温水を噴射することができ、洗浄を安定的に行うことができる。
【図面の簡単な説明】
【００１０】
【図１】本考案の温水洗浄機の全体構成図
【図２】ボイラおよび加熱器の断面図
【図３】他の実施形態のボイラおよび加熱器の断面図
【考案を実施するための最良の形態】
【００１１】
本実施形態の温水洗浄機を図１に示す。温水洗浄機は、水道水を沸かすボイラ１と、ボイラ１により生成された温水を貯める温水タンク２と、温水タンク２からの温水を加圧する高圧ポンプ３と、ボイラ１の排熱を利用して高圧の温水を再加熱する加熱器４と、温水を噴射する洗浄ガン５とを備えている。加圧された温水の水圧を調整する第１の圧力調整器６および第２の圧力調整器７が設けられる。第１の圧力調整器６は温水タンク２と加熱器４との間に配され、第２の圧力調整器７は加熱器４と洗浄ガン５との間に配される。
【００１２】
ボイラ１、温水タンク２、高圧ポンプ３、加熱器４、各圧力調整器６，７が移動可能なキャビネット１０に内装され、洗浄ガン７が高圧ホース１１を介してキャビネット１０に接続される。キャビネット１０に、水道水を供給するための水道ホース１２が接続され、水道水が水道ホース１２から給水管１３を通じてボイラ１に供給される。給水管１３に、減圧バルブ１４が介装される。なお、図中、１５は安全バルブ、１６，１７はドレンバルブ、１８は高圧側の安全バルブである。
【００１３】
図２に示すように、ボイラ１の下部に、バーナ２０に連通した燃焼室２１が形成され、燃焼室２１の上側に加熱タンク２２が形成される。ボイラ１内に、燃焼室２１から上方に向かって複数の煙管２３が設けられる。燃焼によって生じた燃焼ガスが通る煙管２３は、ボイラ１の上面に形成された煙道２４に連通している。ボイラ１の加熱タンク２２の上部に、温水を排出する出湯管２５が接続される。
【００１４】
出湯管２５は、温水タンク２に接続される。温水タンク２は、貯水量を一定に保つためにボールタップ２６を備えている。温水タンク２の水位が下がると、ボールタップ２６の弁が開き、ボイラ１から温水タンク２に給湯される。温水タンク２は、給湯管２７を通じて加熱器４に接続される。給湯管２７に、高圧ポンプ３が設けられる。
【００１５】
モータによって駆動される高圧ポンプ３は、温水タンク２からの温水を高圧化して、高圧の温水を加熱器４に供給する。給湯管２７の高圧ポンプ３の下流側に第１の圧力調整器６が介装される。第１の圧力調整器６は、アンローダーバルブあるいは調圧バルブとされる。圧力調整器６の余水バイパス管２８が温水タンク２に接続される。圧力調整器６の設定圧力は、吐水圧力が１〜５ＭＰａになるように調整可能とされる。なお、圧力調整器６と安全バルブ１８との間に絞りを設けてもよい。絞りにより、圧力調整器６を通過した温水の圧力が安定して、加熱器４に所定の圧力の温水を送り込むことができる。
【００１６】
加熱器４は、ボイラ１に一体的に設けられる。加熱器４は、下面が開口した筒状に形成され、ボイラ１の上面に、煙道２４に連通するように配置される。加熱器４の外周壁は、断熱材によって覆われている。加熱器４の内部に、温水が通る２重巻きされた加熱コイル３０、３１が設けられる。加熱器４の上面に、燃焼ガスの排気筒３３が設けられる。煙道２４を通った燃焼ガスは、加熱器４内を上昇して、排気筒３３から排出される。
【００１７】
外側の加熱コイル３０と内側の加熱コイル３１とは接続され、各加熱コイル３０、３１は、加熱器４内に突き出た固定台に保持される。内側の加熱コイル３１の上端に円形の蓋３２が取り付けられる。外側の加熱コイル３０の入口に、給湯管２７が接続される。内側の加熱コイル３１の出口に、高圧ホース１１が接続される。
【００１８】
高圧ホース１１に、第２の圧力調整器７が介装される。第２の圧力調整器７は、アンローダーバルブとされ、第２の圧力調整器７の余水バイパス管３４がボイラ１に接続される。高圧ホース１１に接続された洗浄ガン５は、ストップバルブを有している。洗浄ガン５のレバー操作に連動して、温水洗浄機が動作する。
【００１９】
内外の加熱コイル３０、３１により、燃焼ガスが上る煙筒が形成される。煙筒を通る燃焼ガスは内外の加熱コイル３０，３１に接触して、加熱コイル３０、３１を流れる温水と熱交換する。温水が加熱され、燃焼ガスの温度が下がる。高圧ポンプ３により圧送される温水は高圧になっているので、温水の沸点が高くなり、温水は１００℃以上に加熱される。
【００２０】
温水洗浄機には、水温を検出する複数の温度検出器と、温水洗浄機の動作を制御するコントローラ４０が設けられる。コントローラ４０は、検出された水温に基づいてボイラ１の動作を制御するとともに、レバー操作に応じて高圧ポンプ３をオンオフする。温度検出器として、ボイラ１に、水温を調節するための温度調節器４１と、ボイラ１の過熱を防ぐための過熱防止器４２が設けられる。そして、加熱器４の出口側に、安全装置として機能するハイリミッター４３が設けられる。
【００２１】
温度調節器４１は、タンク１の水温を検出する。検出された水温に基づいて、設定温度、例えば８０℃の温水が生成されるようにボイラ１のバーナ２０が制御される。過熱防止器４２は、タンク１の水温を検出する。温水温度が設定温度よりも高い所定温度を超えると、過熱防止器４２は、ボイラ１のバーナ２０をオフする。ハイリミッター４３は、加熱器４から出た温水の水温を検出する。温水温度が異常温度を超えると、ハイリミッター４３は、バーナ２０をオフする。加熱器４により生成される温水の温度が例えば１１０℃の場合、異常温度は１２０℃に設定される。
【００２２】
ボイラ１によって沸かされた温水は温水タンク２に貯えられている。ユーザが洗浄ガン５のレバー４４を引くと、ストップバルブが開く。コントローラ４０は、レバー４４の操作に応じて高圧ポンプ３を駆動し、ボイラ１のバーナ２０をオンする。バーナ２０が燃焼を開始して、ボイラ１で温水が生成される。高圧ポンプ３により、温水タンク２の温水が加圧されて、加熱器４に供給される。水圧が第１の圧力調整器６の設定圧力以上になると、第１の圧力調整器６は余水を発生させ、余水は余水バイパス管２８を通じて温水タンク２に還流される。温水タンク２の水位が下がると、ボールタップ２６が開き、ボイラ１から温水が温水タンク２に流れ込む。
【００２３】
加熱器４において、温水はボイラ１からの燃焼ガスによって加熱される。ボイラ１からの燃焼ガスは加熱コイル３０、３１によって形成される煙筒に沿って上る。煙筒の上面が蓋３２によって塞がれているので、燃焼ガスは煙筒の側方に向かって分散して流れ、加熱コイル３０、３１に接触して、排気筒３３から排出される。このようにして、１００℃以上の温水が生成される。第２の圧力調整器７により設定された圧力で温水が洗浄ガン５に吐出され、１００℃以上の高圧の温水が洗浄ガン５から噴射される。水圧が設定圧力以上になると、第２の圧力調整器７は余水を発生させ、余水は余水バイパス管３４を通じてボイラ１に還流される。これにより、水圧が設定圧力に維持される。洗浄ガン５のレバー４４が操作され、洗浄ガン５からの温水の噴射量が減ると、高圧ホース１１の水圧が設定圧力以上になり、第２の圧力調整器７に余水が生じる。加熱器４からの温水が余水バイパス管３４を通じてボイラ１に戻される。ボイラ１に戻る余水は、ボイラ１内の温水よりも高温であるので、ボイラ１内の温水の温度を高める。レバー４４が戻されると、ストップバルブが閉じる。コントローラ４０は、高圧ポンプ３をアンロード状態にする。そして、ボイラ１の温水温度が設定温度以上になると、バーナ２０をオフする。このとき、高圧ホース１１において生じた余水は、余水バイパス管３４を通じてタンク１に戻される。
【００２４】
このように、温水を噴射するとき、温水を加圧して、さらに加熱することにより、１００℃以上の高圧の温水を噴射することができ、温水洗浄による洗浄力を高めることができる。しかも、ボイラ１を小型化することができるので、安全性を高めることができる。ここで、洗浄ガン５から噴射される温水の温度が高すぎると、洗浄ガン５から大気中に開放された温水が気化して、温水温度が下がってしまう。そこで、なるべく気化熱を奪われないように、温水温度は１００℃を少し超える程度にするのが好ましい。
【００２５】
そして、高温の燃焼ガスは温水と熱交換され、排出される燃焼ガスの温度が低下する。例えば２７０℃から１５０℃まで低減できる。また、燃焼ガスが加熱コイル３０、３１に接触して分散されるので、燃焼ガスの排出音を低減することができ、排ガスの消音効果が得られる。さらに、２段階で加熱することにより、ボイラ１だけで加熱する場合に比べて、ボイラ効率がよくなり、燃料の消費低減および排出されるＣＯ２の低減を図れる。
【００２６】
他の実施形態の温水洗浄機を図３に示す。この温水洗浄機では、ボイラ１に加熱器４が直結され、煙管２３の上側に煙筒４０が設けられる。側壁に多数の通気孔４１を有する煙筒４０の上面は塞がれている。二重構造の加熱コイル３０、３１は、煙筒４０の外周に沿って設けられる。その他の構成は、上記の温水洗浄機と同じである。
【００２７】
ボイラ１に給水された水は、加熱され、温水となる。温水は温水タンク２を経て、加圧されて加熱器４に入る。ボイラ１からの燃焼ガスは、煙道２３を通って通気孔４１から煙筒４０の周囲に吹き出し、加熱コイル３０、３１に当たって分散する。燃焼ガスにより、温水が加熱される。高温の温水が圧力調整器７により設定圧力に調整されて、洗浄ガン５から噴射される。そして、温水と熱交換されて、温度が低下した燃焼ガスは排気筒３３から排出される。
【００２８】
なお、本考案は、上記実施形態に限定されるものではなく、本考案の範囲内で上記実施形態に多くの修正および変更を加え得ることは勿論である。圧力調整器７は、三方弁あるいは調圧バルブであってもよい。また、上記の温水洗浄機は移動可能なタイプであるが、固定型の温水洗浄機であってもよい。この場合、固定式の洗浄ガン５が複数設置可能である。
【符号の説明】
【００２９】
１    ボイラ
２    温水タンク
３    ポンプ
４    加熱器
５    洗浄ガン
６    第１の圧力調整器
７    第２の圧力調整器
１０    キャビネット
【図１】
0003209485.tif 000003
【図２】
0003209485.tif 000004
【図３】
0003209485.tif 000005